(57)【要約】      （修正有）【課題】所望の相手と所望のＴＶでコミュニケーションをとる。【解決手段】携帯電話でユーザを招待する処理を開始する。招待元の携帯電話に記憶されているアドレス帳の一覧が表示され、招待したいユーザの携帯電話を選択すると、これらの携帯電話に関する情報に基づいて、送信する予約リクエストが生成され、携帯電話内のメモリ内に保存される。アドレス情報としてはＴＶのアドレスを用いる。予約リクエストが生成されると、指定したユーザに予約リクエストがメールで送信される。メールが送信された後に、ＴＶと通信可能か否かを調べ、通信可能である場合には、生成した予約リクエストをＴＶにも送信する。以上の処理により、招待元のＴＶにも番組コンテンツの視聴予約が行われる。この時点で、ＴＶに視聴予約に関する情報が送信されなかった場合でも、後から予約リクエストをＴＶに送信することでいつでも予約可能である。【選択図】図５
2010041452.tif 000002
【特許請求の範囲】
【請求項１】
ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおいて、
前記第１の携帯端末は、前記第１のコンテンツ視聴装置のアドレス情報と視聴する番組コンテンツを特定する番組コンテンツ情報を含んだ予約リクエストを生成する予約リクエスト生成部を備え、生成した前記予約リクエストを前記無線通信部により前記第２の携帯端末に送信し、
前記第２のコンテンツ視聴装置は、
前記予約リクエストを受信した前記第２の携帯端末が、前記短距離通信により受信可能な範囲内にある場合に該予約リクエストを前記第２の携帯端末から受信する予約リクエスト受信部と、
受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理をセッション管理部に指示する第２の予約管理部と、
を備えることを特徴とするコンテンツ視聴システム。
【請求項２】
前記第２の予約管理部は、前記予約リクエストの内容に基づき、前記予約リクエストに含まれるアドレスが自己のアドレスと同じであるか否かを判定し、異なると判定された場合に、コンテンツ視聴会話を行うための指示を前記セッション管理部に指示することを特徴とする請求項１に記載のコンテンツ視聴システム。
【請求項３】
前記第２の予約管理部は、前記予約リクエストの内容に基づき、前記予約リクエストに含まれるアドレスが自己のアドレスと同じであるか否かを判定し、同じと判定された場合には、コンテンツ視聴会話を行うための指示を前記セッション管理部に指示しないことを特徴とする請求項１に記載のコンテンツ視聴システム。
【請求項４】
前記第１のコンテンツ視聴装置は、
前記予約リクエストを生成した前記第１の携帯端末が、前記短距離通信により受信可能な範囲内にある場合に該予約リクエストを受信する予約リクエスト受信部と、
受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第２のコンテンツ視聴装置からコンテンツ視聴会話の開始があった場合に、前記第２のコンテンツ視聴装置との間でコンテンツ視聴会話を行うためのセッションの管理を前記セッション管理部に指示する第１の予約管理部と
を備えることを特徴とする請求項１から３までのいずれか１項に記載のコンテンツ視聴システム。
【請求項５】
前記第１のコンテンツ視聴装置の前記第１の予約管理部は、前記予約リクエストの内容に基づき、前記予約リクエストに含まれるアドレスが自己のアドレスと同じであるか否かを判定し、同じと判定された場合は、該予約リクエストに含まれる前記番組コンテンツ情報に基づいたコンテンツ視聴予約処理と、コンテンツ視聴会話開始可能時刻の設定を行うことを特徴とする請求項１から４までのいずれか１項に記載のコンテンツ視聴システム。
【請求項６】
前記番組コンテンツ情報は、番組コンテンツのチャンネルと、番組コンテンツのタイトルと、番組の開始時刻と、終了時刻と、を含むことを特徴とする請求項１から５までのいずれか１項に記載のコンテンツ視聴システム。
【請求項７】
前記アドレス情報は、前記ネットワーク上における前記第１のコンテンツ視聴装置のアドレス情報であることを特徴とする請求項１から６までのいずれか１項に記載のコンテンツ視聴システム。
【請求項８】
前記予約リクエストに会話開始可能時刻、予約リクエスト送信者名、メッセージの少なくともいずれかを含む情報を、付加情報として付加することを特徴とする請求項１から７までのいずれか１項に記載のコンテンツ視聴システム。
【請求項９】
前記予約リクエストは、前記無線通信部から電子メールの画像添付ファイルの形態で送信されることを特徴とする請求項１から８までのいずれか１項に記載のコンテンツ視聴システム。
【請求項１０】
ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける第２のコンテンツ視聴装置であって、
前記第２のコンテンツ視聴装置は、
前記第１の携帯端末が、前記第１のコンテンツ視聴装置のアドレス情報と視聴する番組コンテンツを特定する番組コンテンツ情報を含んだ予約リクエストを生成し、生成した前記予約リクエストを前記無線通信部により前記第２の携帯端末に送信し、前記予約リクエストを受信した前記第２の携帯端末が、前記短距離通信により受信可能な範囲内にある場合に該予約リクエストを前記第２の携帯端末から受信する予約リクエスト受信部と、
受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理を第２のセッション管理部に指示する第２の予約管理部と
を備えることを特徴とする第２のコンテンツ視聴装置。
【請求項１１】
前記第２のコンテンツ視聴装置は、予約リクエストを受信した際、既に該当する予約が行われていないかどうかを判別し、該当する予約が既に行われていた場合には、該当する予約をキャンセルする処理を行うことを特徴とする請求項１０に記載の第２のコンテンツ視聴装置。
【請求項１２】
ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける第１コンテンツ視聴装置であって、
前記第１のコンテンツ視聴装置は、
前記第１の携帯端末が、前記第１のコンテンツ視聴装置のアドレス情報と視聴する番組コンテンツを特定する番組コンテンツ情報を含めて生成した予約リクエストを前記第１の携帯端末から短距離通信により受信する予約リクエスト受信部と、
受信した前記予約リクエストのうちの前記番組コンテンツ情報に基づき、特定された前記コンテンツの視聴予約の設定を行うとともに、前記予約リクエストに含まれる前記第１のコンテンツ視聴装置のアドレス情報に基づいて前記第２のコンテンツ視聴装置からコンテンツ視聴会話が開始されると、該第２のコンテンツ視聴装置との間におけるコンテンツ視聴会話のセッションを管理する第１のセッション管理部と
を備えることを特徴とする第１のコンテンツ視聴装置。
【請求項１３】
ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける第１の携帯端末であって、
前記第１のコンテンツ視聴装置のアドレス情報と視聴する番組コンテンツを特定する番組コンテンツ情報を含んだ予約リクエストを生成する予約リクエスト生成部を備え、
生成した前記予約リクエストを前記無線通信部により前記第２の携帯端末に送信し、前記第２のコンテンツ視聴装置において、前記予約リクエストを受信した前記第２の携帯端末が、前記短距離通信により受信可能な範囲内にある場合に該予約リクエストを前記第２の携帯端末から受信し、受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理を促すことを特徴とする第１の携帯端末。
【請求項１４】
ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける第２の携帯端末であって、
前記第２の携帯端末は、前記第１のコンテンツ視聴装置のアドレス情報と視聴する番組コンテンツを特定する番組コンテンツ情報を含んだ予約リクエストを生成する予約リクエスト生成部を備えた前記第１の携帯端末が生成した前記予約リクエストを受信し、前記短距離通信により受信可能な範囲内にある場合に前記第２のコンテンツ視聴装置に対して前記予約リクエストを送信し、
受信した前記予約リクエストに基づき、前記第２のコンテンツ視聴装置において、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理を促すことを特徴とする第２の携帯端末。
【請求項１５】
ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける通話方法であって、
前記第１の携帯端末が、前記第１のコンテンツ視聴装置のアドレス情報と視聴する番組コンテンツを特定する番組コンテンツ情報を含んだ予約リクエストを生成し、生成した前記予約リクエストを前記無線通信部により前記第２の携帯端末に送信するステップと、
前記第２のコンテンツ視聴装置と前記予約リクエストを受信した前記第２の携帯端末とが短距離通信により受信可能な範囲内にある場合に、前記第２のコンテンツ視聴装置が前記予約リクエストを前記第２の携帯端末から受信するステップと
受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理をセッション管理部に指示するステップと
を有することを特徴とする通話方法。
【請求項１６】
請求項１５に記載の方法をコンピュータに実行させるためのプログラム。
【請求項１７】
請求項１６に記載のプログラムを記録したコンピュータ読み取り可能な記録媒体。
【請求項１８】
第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおいて、
前記第１の携帯端末は、前記第１のコンテンツ視聴装置のアドレス情報と視聴する番組コンテンツを特定する番組コンテンツ情報を含んだ予約リクエストを生成する予約リクエスト生成部を備え、生成した前記予約リクエストを前記無線通信部により前記第２の携帯端末に送信し、
前記第２のコンテンツ視聴装置は、
前記予約リクエストを受信した前記第２の携帯端末が、前記短距離通信により受信可能な範囲内にある場合に該予約リクエストを前記第２の携帯端末から受信する予約リクエスト受信部と、
受信した前記予約リクエストに基づき、特定された前記コンテンツの視聴予約の設定を行い、
前記第１及び第２の携帯端末は、端末間で通話を行うためのセッションの管理を第１及び第２のセッション管理部にそれぞれ指示する第１及び第２の予約管理部を備え、該第１及び第２の予約管理部は、前記予約リクエストに基づく予約実行時に、前記第１及び第２のセッション管理部に前記第１及び第２の携帯端末間においてコンテンツ視聴会話が可能な状態に設定するための指示を行うことを特徴とするコンテンツ視聴システム。
【請求項１９】
前記第１及び第２の携帯端末のそれぞれにおいて、相手側の携帯端末からの着信がコンテンツ視聴会話の着信か否かを判別することを特徴とする請求項１８に記載のコンテンツ視聴システム。
【請求項２０】
前記第２の携帯端末において、相手側の前記第１の携帯端末からの着信があると、前記第２の予約管理部は該当する予約が設定されているかどうかを検索し、前記コンテンツ視聴会話の着信か否かの判別は、設定されたコミュニケーション開始可能時刻であるか否か、および、予約リクエストを送った相手側の携帯端末からの着信か否か、に基づいて行われることを特徴とする請求項１９に記載のコンテンツ視聴システム。
【請求項２１】
前記第１及び第２の携帯端末は、相手側の携帯端末からの着信に応答した際に、短距離通信により通信可能なコンテンツ視聴装置の視聴予約も同時に行うことを特徴とする請求項１８から２０までのいずれか１項に記載のコンテンツ視聴システム。
【発明の詳細な説明】
【技術分野】
【０００１】
本発明、コンテンツ視聴機器に関し、特に、ネットワーク接続可能なコンテンツ視聴機器間におけるコミュニケーション機能の活用技術に関する。
【背景技術】
【０００２】
近年、インターネットを利用して離れた場所にいる人とのコミュニケーションを図るシステムが注目されている。このようなシステムには、映像と音声を相互に送受信することによってコミュニケーションを図るテレビ電話システム、音声だけを相互に送受信することによってコミュニケーションを図るVoIP(Voice over IP)システムなどがある。
また、テレビジョン番組などの同じコンテンツを双方の装置で同期して受信させつつ、VoIPシステムを使って音声会話を行うシステムも提案されている。これにより、離れた場所にいる人同士が同じ番組を視聴しながら、番組についてのコメントなど音声による会話を楽しむことができ、個々に番組を視聴し、視聴した番組について後から会話をすることによっては難しい感動の共有といったことが可能になる。会話をしながら一緒に視聴する番組がスポーツ番組である場合、感動を共有できることのメリットは特に大きい。
【０００３】
下記特許文献１には、同じコンテンツを視聴しながら、離れた場所にいる人がテレビ電話によってコミュニケーションを図るシステムが開示されている。
【０００４】
また、特許文献２に記載の方法によれば、テレビジョン受信装置（ＴＶ）上で番組表から視聴したい番組を選択し、さらに相手を指定すると、相手のＴＶに予約リクエストが送信される。相手が承諾すると、双方のＴＶで予約が行われ、その番組の開始時刻が近付くと、ＴＶのチャンネルを合わせると共に音声会話用の通信セッションが確立され、友人と会話しながら同じ番組を視聴することができる。
【０００５】
【特許文献１】特開２００６−４１８８６号公報
【特許文献２】特開２００７−２７４２２７号公報
【発明の開示】
【発明が解決しようとする課題】
【０００６】
ところで、ＴＶは家庭内では複数の人が共用する共用デバイスであり、また、各家庭には複数のＴＶが存在する可能性もあるため、コミュニケーションをとりたい所望の相手が複数のＴＶのうちのいずれのＴＶを使っているかが分からないという問題がある。また、番組の開始時刻の少し前に、予約に基づいて会話を開始しようとしても、所望の相手がＴＶの前にいるかどうか確認することが難しいという問題がある。
【０００７】
本発明は、所望の相手と所望のＴＶでコミュニケーションをとることができる技術を提供することを目的とする。
【課題を解決するための手段】
【０００８】
本発明に係る番組コンテンツ視聴技術は、番組コンテンツ視聴装置でコミュニケーションをとりたい相手への予約リクエストの送信を同じコンテンツ視聴装置の有するネットワークを介して行うのではなく、相手が常時携帯している携帯電話のメールにより行う。相手側の番組コンテンツ視聴装置では、携帯電話に受信した予約リクエストをＴＶに送信することで予約が行われる。また、番組の開始時刻が近付いた際、予約リクエストを保持している携帯電話がＴＶの近くにあるかどうか調べ、ＴＶの近くにある場合のみ予約内容に基づいた処理を行う。
【０００９】
本発明の一観点によれば、ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおいて、前記第１の携帯端末は、前記第１のコンテンツ視聴装置のアドレス情報と視聴する番組コンテンツを特定する番組コンテンツ情報を含んだ予約リクエストを生成する予約リクエスト生成部を備え、生成した前記予約リクエストを前記無線通信部により前記第２の携帯端末に送信し、前記第２のコンテンツ視聴装置は、前記予約リクエストを受信した前記第２の携帯端末が、前記短距離通信により受信可能な範囲内にある場合に該予約リクエストを前記第２の携帯端末から受信する予約リクエスト受信部と、受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理をセッション管理部に指示する第２の予約管理部と、を備えることを特徴とするコンテンツ視聴システムが提供される。前記第２の予約管理部は、前記予約リクエストの内容に基づき、前記予約リクエストに含まれるアドレスが自己のアドレスと同じであるか否かを判定し、異なると判定された場合に、コンテンツ視聴会話を行うための指示を前記セッション管理部に指示することが好ましい。前記第２の予約管理部は、前記予約リクエストの内容に基づき、前記予約リクエストに含まれるアドレスが自己のアドレスと同じであるか否かを判定し、同じと判定された場合には、コンテンツ視聴会話を行うための指示を前記セッション管理部に指示しないことが好ましい。
【００１０】
前記予約管理部は、前記予約リクエストの内容に基づき、予約管理部がコンテンツ視聴会話の予約を行う。招待元と招待先とで処理が異なるため、まず、招待元か否かの判定を行うこれは、予約リクエストに含まれるアドレスが自分自身（ＴＶ）のアドレスと同じかどうかで判定することができる。すなわち、予約リクエストに含まれるアドレスが自分自身（ＴＶ）のアドレスと同じ場合は招待元（ＴＶ１）、自分自身のアドレスと異なる場合は招待先（ＴＶ２）と判定することができる。
招待元のＴＶ１と判定された場合には、予約管理部は招待元としてコンテンツ視聴会話の予約を行う。すなわち、相手先アドレスは分からないため、番組情報、コミュニケーション開始可能時刻のみを設定する。
【００１１】
招待先と判定された場合には、予約管理部は被招待側としてコンテンツ視聴会話の予約を行う。すなわち、番組情報、相手先アドレス、および、コミュニケーション開始可能時刻を設定する。予約が完了したことを画面に表示することで、ユーザにその旨を報知するようにしても良い。
【００１２】
前記第１のコンテンツ視聴装置は、前記予約リクエストを生成した前記第１の携帯端末が、前記短距離通信により受信可能な範囲内にある場合に該予約リクエストを受信する予約リクエスト受信部と、受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第２のコンテンツ視聴装置からコンテンツ視聴会話の開始があった場合に、前記第２のコンテンツ視聴装置との間でコンテンツ視聴会話を行うためのセッションの管理をセッション管理部に指示する第１の予約管理部と、を備えることが好ましい。
【００１３】
前記第１のコンテンツ視聴装置の前記第１の予約管理部は、前記予約リクエストの内容に基づき、前記予約リクエストに含まれるアドレスが自己のアドレスと同じであるか否かを判定し、同じと判定された場合のみ、番組コンテンツ情報に基づくコンテンツ視聴予約処理と、コンテンツ視聴会話（通話）開始可能時刻の設定を行うことが好ましい。招待元としてコンテンツ視聴会話の予約を行う場合に、相手先アドレスは分からないため、番組情報、コミュニケーション開始可能時刻のみを設定する。
【００１４】
前記番組コンテンツ情報は、番組コンテンツのチャンネルと、番組コンテンツのタイトルと、番組の開始時刻と、終了時刻と、を含むことが好ましい。これらの情報により、相手方に、視聴させたいコンテンツとその時間とを特定することができる。
【００１５】
前記アドレス情報は、前記ネットワーク上における前記第１のコンテンツ視聴装置のアドレス情報であることが好ましい。これにより、番組コンテンツを視聴しながら、ＴＶによりネットワーク経由で音声通話を行うことができる。前記予約リクエストに、会話開始可能時刻、予約リクエスト送信者名、メッセージの少なくともいずれかを含む情報を付加情報として付加するようにしても良い。前記予約リクエストは、前記無線通信部から電子メールの画像添付ファイルの形態で送信されることが好ましい。
【００１６】
また、本発明は、ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける第２のコンテンツ視聴装置であって、前記第２のコンテンツ視聴装置は、前記第１の携帯端末が、前記第１のコンテンツ視聴装置のアドレス情報と視聴する番組コンテンツを特定する番組コンテンツ情報を含んだ予約リクエストを生成し、生成した前記予約リクエストを前記無線通信部により前記第２の携帯端末に送信し、前記予約リクエストを受信した前記第２の携帯端末が、前記短距離通信により受信可能な範囲内にある場合に該予約リクエストを前記第２の携帯端末から受信する予約リクエスト受信部と、受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理を第２のセッション管理部に指示する第２の予約管理部と、を備えることを特徴とする第２のコンテンツ視聴装置であっても良い。
【００１７】
また、本発明は、ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける第１コンテンツ視聴装置であって、前記第１のコンテンツ視聴装置は、前記第１の携帯端末が、前記第１のコンテンツ視聴装置のアドレス情報と視聴する番組コンテンツを特定する番組コンテンツ情報を含めて生成した予約リクエストを前記第１の携帯端末から短距離通信により受信する予約リクエスト受信部と、受信した前記予約リクエストのうちの前記番組コンテンツ情報に基づき、特定された前記コンテンツの視聴予約の設定を行うとともに、前記予約リクエストに含まれる前記第１のコンテンツ視聴装置のアドレス情報に基づいて前記第２のコンテンツ視聴装置からコンテンツ視聴会話が開始されると、該第２のコンテンツ視聴装置との間におけるコンテンツ視聴会話のセッションを管理する第１のセッション管理部と、を備えることを特徴とする第１のコンテンツ視聴装置であっても良い。
【００１８】
ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける第１の携帯端末であって、前記第１のコンテンツ視聴装置のアドレス情報と視聴する番組コンテンツを特定する番組コンテンツ情報を含んだ予約リクエストを生成する予約リクエスト生成部を備え、生成した前記予約リクエストを前記無線通信部により前記第２の携帯端末に送信し、前記第２のコンテンツ視聴装置において、前記予約リクエストを受信した前記第２の携帯端末が、前記短距離通信により受信可能な範囲内にある場合に該予約リクエストを前記第２の携帯端末から受信し、受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理を促すことを特徴とする第１の携帯端末であっても良い。
【００１９】
ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける第２の携帯端末であって、前記第２の携帯端末は、前記第１のコンテンツ視聴装置のアドレス情報と視聴する番組コンテンツを特定する番組コンテンツ情報を含んだ予約リクエストを生成する予約リクエスト生成部を備えた前記第１の携帯端末が生成した前記予約リクエストを受信し、前記短距離通信により受信可能な範囲内にある場合に前記第２のコンテンツ視聴装置に対して前記予約リクエストを送信し、受信した前記予約リクエストに基づき、前記第２のコンテンツ視聴装置において、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話を行うためのセッションの管理を促すことを特徴とする第２の携帯端末であっても良い。
【００２０】
本発明の他の観点によれば、ネットワークに接続された第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける通話方法であって、前記第１の携帯端末が、前記第１のコンテンツ視聴装置のアドレス情報と視聴する番組コンテンツを特定する番組コンテンツ情報を含んだ予約リクエストを生成し、生成した前記予約リクエストを前記無線通信部により前記第２の携帯端末に送信するステップと、前記第２のコンテンツ視聴装置と前記予約リクエストを受信した前記第２の携帯端末とが短距離通信により受信可能な範囲内にある場合に、前記第２のコンテンツ視聴装置が前記予約リクエストを前記第２の携帯端末から受信するステップと、受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との間でコンテンツ視聴会話（通話）を行うためのセッションの管理をセッション管理部に指示するステップと、を有することを特徴とする通話方法が提供される。
【００２１】
本発明は、上記の方法をコンピュータに実行させるためのプログラムであっても良い。また、このプログラムを記録する記録媒体であっても良く、プログラムは、インターネットなどの伝送媒体から取得するようにしても良い。
【００２２】
また、本発明は、第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおいて、前記第１の携帯端末は、前記第１のコンテンツ視聴装置のアドレス情報と視聴する番組コンテンツを特定する番組コンテンツ情報を含んだ予約リクエストを生成する予約リクエスト生成部を備え、生成した前記予約リクエストを前記無線通信部により前記第２の携帯端末に送信し、前記第２のコンテンツ視聴装置は、前記予約リクエストを受信した前記第２の携帯端末が、前記短距離通信により受信可能な範囲内にある場合に該予約リクエストを前記第２の携帯端末から受信する予約リクエスト受信部と、受信した前記予約リクエストに基づき、特定された前記コンテンツの視聴予約の設定を行い、前記第１及び第２の携帯端末は、端末間で通話を行うためのセッションの管理を第１及び第２のセッション管理部にそれぞれ指示する第１及び第２の予約管理部を備え、該第１及び第２の予約管理部は、前記予約リクエストに基づく予約実行時に、前記第１及び第２のセッション管理部に前記第１及び第２の携帯端末間において音声通話可能な状態に設定するための指示を行うことを特徴とするコンテンツ視聴システムであっても良い。
【００２３】
この場合には、携帯電話によりコンテンツ視聴に関する会話を行うことができる。また、前記第１及び第２の携帯端末のそれぞれにおいて、相手側の携帯端末からの着信がコンテンツ視聴に関する設定に基づく会話の着信か否かを判別するようにすることが好ましい。コンテンツ視聴に関する着信であるかどうかを判断するのは、例えば、前記第２の携帯端末において、相手側の前記第１の携帯端末からの着信があると、前記第２の予約管理部は該当する予約が設定されているかどうかを検索し、前記コンテンツ視聴に関する設定に基づく会話の着信か否かの判別は、設定されたコミュニケーション開始可能時刻であるか否か、および、予約リクエストを送った相手側の携帯端末からの着信か否か、に基づいて行うことができる。前記第１及び第２の携帯端末は、相手側の携帯端末からの着信に応答した際に、短距離通信により通信可能なコンテンツ視聴装置の視聴予約も同時に行うようにしても良い。このようにすれば、ＴＶと関連付けされた携帯電話により、視聴予約をスムーズにかつ確実行うことができる。
【００２４】
なお、本発明は、システムに関する構成だけではなく、システムを構成する主要要素である、第１、第２のコンテンツ視聴装置、第１、第２の携帯端末も、それぞれ個別に発明として成立するものである。また、システムが実行する方法、該方法をコンピュータに実行させるためのプログラム、該プログラムを記録した記録媒体も個別に発明として成立する。また、プログラムは、インターネットなどの伝送媒体によって取得するものであっても良い。
【発明の効果】
【００２５】
本発明によれば、所望の相手方のＴＶに対して確実に番組コンテンツの予約をさせるとともに、相手方のＴＶとの間でネットワークを介してＴＶ通話を行うための準備をすることができる。相手方は、所望のＴＶに番組コンテンツの予約をさせることができる。
さらに、相手が所望のＴＶの近くにいることを事前に確認してから音声通話を開始することができる。また、ＴＶがアドレス帳データを持つ必要はなく、各自が保持している携帯電話のアドレス帳を用いて簡単に予約リクエストが可能である。
【００２６】
また、ＴＶと関連付けされた携帯電話同士でコンテンツ視聴に関する通話を行うこともできる。
【発明を実施するための最良の形態】
【００２７】
本発明に係るコンテンツ視聴システムにおいて、コンテンツ視聴機器を用いてコミュニケーションを申し込む側を招待元と称し、申し込みを受ける側を招待先と称する。もちろん、３以上でのコミュニケーションであっても良いし、招待元と招待先とが入れ変わることもできる。また、同じコンテンツを一緒に視聴しながらコミュニケーションを行うことを“コンテンツ視聴会話”と呼ぶこととする。また、本明細書において、特にことわりがない場合には、招待元のユーザがＴＶ（第１のコンテンツ視聴装置）１及び携帯電話４側の各機能部（予約リクエスト管理部、セッション管理部など）を、第１の機能部と称し、招待先のユーザがＴＶ（第２のコンテンツ視聴装置）２及び携帯電話５側の各機能部を、第２の機能部と称することにする。
【００２８】
以下、本発明の実施の形態について、図面を参照しながら説明を行う。ここでは、コンテンツ視聴装置に関して、テレビジョン受信装置を例にして、また、携帯端末について、携帯電話を例にして説明する。
【００２９】
（第１の実施の形態）
図１は、本発明の第１の実施の形態によるコンテンツ視聴システムのシステム構成例を示す図である。図１において、招待元のユーザがＴＶ（第１のコンテンツ視聴装置）１、および、携帯電話４を使用しており、招待先のユーザがＴＶ（第２のコンテンツ視聴装置）２、および携帯電話５を使用している。すなわち、携帯電話４のユーザから携帯電話５のユーザを招待する、というシーンを想定して具体的に説明する。図１に示すように、招待元のＴＶ１、招待先のＴＶ２は、インターネットなどを介して通信が可能なようにネットワーク３により接続されており、相互に通信が可能に構成されている。また、それぞれのＴＶ１、ＴＶ２には、マイクロフォン１ａ・２ａ、ヘッドフォン１ｂ・２ｂなどの音声入出力手段が設けられており、ＴＶ間で音声による会話を行うことが可能になっている。
【００３０】
一方、招待元の携帯電話４と招待先の携帯電話５とは、図示されていない携帯電話基地局と無線通信を行っており、携帯電話網を介して相互に通信が可能となっている。ここでは、電子メールを用いて予約リクエスト６を送受信する。
【００３１】
またＴＶ１、２、携帯電話４、５ともに、Ｂｌｕｅｔｏｏｔｈ（登録商標）などの短距離無線通信の機能を有しており、短距離無線通信を用いてＴＶ１と携帯電話４、ＴＶ２と携帯電話５とが、それぞれ相互に通信が可能となっている。
【００３２】
次に、予約リクエストについて説明する。予約リクエストは、基本的には１つのデータファイルとして扱うのが好ましい。１つのデータファイルとすることで、各機器での取り扱いが容易となる。この場合、携帯電話４から携帯電話５にデータファイルを送信することで友人への招待が実現され、携帯電話５からＴＶ２に同じデータファイルを送信することでＴＶへの予約が実現される。予約リクエストのファイル形式やデータ格納方法は限定されるものではないが、予約リクエストには、以下の情報が含まれている。
【００３３】
１）番組コンテンツ情報（必須の情報である）。この番組コンテンツ情報は、チャンネル、番組コンテンツのタイトル、番組の開始時刻、終了時刻である。これらの情報により、相手方に、視聴させたいコンテンツとその時間とを特定することができる。
【００３４】
２）コミュニケーション情報（必須の情報である）。このコミュニケーション情報は、招待元ＴＶのアドレス情報である。アドレスの種類としてはＳＩＰ（Ｓｅｓｓｉｏｎ  Ｉｎｉｔｉａｔｉｏｎ  Ｐｒｏｔｏｃｏｌ）アドレス、電話番号、などユーザを特定できるものであれば何でも構わない。ここでは、呼処理にＳＩＰを用いることを想定し、アドレス情報としてはＳＩＰアドレスを用いる。これにより、番組コンテンツを視聴しながら、ＴＶによりネットワーク経由で音声通話（コンテンツ視聴会話）を行うことができる。
【００３５】
３）付加情報（オプション）としては、例えば、会話開始可能時刻（例えば、番組の開始１０分前から会話可能である、など）、招待者名（招待した人の名前）、メッセージ（招待者からの任意メッセージ）などを含んでいても良い。
【００３６】
図４Ａは、予約リクエストを作成する過程を示す図であり、例えば、まず、図４Ａ（ａ）に示すように、携帯電話４の表示画面にＥＰＧ（登録商標）を表示させた様子を示す図である。図４Ａ（ａ）において、チャネル軸２０２ｅと時間軸２０２ｆとにより画定される領域２０２ｂに番組名などが記載されているＥＰＧ（登録商標）２０２ａから、スクロール２０２ｃ・２０２ｄを押すことで時間とチャネルとを移動させることができる。この図では、領域２０２ｇの番組が選択されている。これにより、予約リクエストにおける番組コンテンツ情報が決定される。続いて、携帯電話のメモリ内に予め登録しておいたＴＶのアドレス情報を用いて、予約リクエストにおけるコミュニケーション情報を決定することができる。さらに、任意の付加情報があれば追加した後に、図４Ａ（ｂ）に示すように、相手方の携帯電話に対して、電話帳３１を参照して相手の携帯電話５のメールアドレス３１ａを選択し、電子メールに予約リクエストを添付して送信する。電子メールに予約リクエストを添付して送信されると、携帯電話５は、これを受信する。予約リクエストは、携帯電話４・５内のフラッシュメモリに記憶される。
【００３７】
図４Ｂは、予約リクエストのデータの一構成例を示す図である。上述した通り、予約リクエストは、種々の形式をとることが可能であるが、少なくとも上記の１）、２）のデータを含む。ここでは、予約リクエストを携帯電話でも取り扱いが可能なファイルである画像ファイル(例えばＪＰＥＧ)として扱うケースを例にして説明する。招待しているコンテンツのイメージ（画像）で送ることにより、招待先のユーザは、電子メールの添付データとして予約リクエストを送られた場合に、それを開封すれば画像データとして一目で何に関する招待状であるかを理解することができる。上記の１）から３）までの情報は、画像ファイルのヘッダ領域１５に埋め込むのが好ましい。画像ファイルには、ヘッダ領域１５と、データ領域１７と、が設けられている。
【００３８】
ヘッダ領域１５のデータとしては、例えば、チャネル２１、タイトル２３、開始時刻２５、終了時刻２７、招待元のＴＶ１のアドレス３１と、会話開始可能時刻３３と、招待者名３５と、が含まれている。これらのデータの例が、図の右側に符号２１ａから３５ａとして具体例が示されている。データ領域１７には、画像データ３７が記憶されており、その右側には実際のコンテンツの画像データ３７ａが示されている。また、図４Ｃは、予約リクエストをＸＭＬ（Ｅｘｔｅｎｓｉｂｌｅ  Ｍａｒｋｕｐ  Ｌａｎｇｕａｇｅ）ファイルとして扱った場合のデータの一構成例を示す図である。このようにすることで、予約リクエストの作成、および、加工が簡単になるというメリットがある。
【００３９】
続いて、各機器の機能について説明する。図２は、本実施の形態によるＴＶの一構成例を示す機能ブロック図である。図２に示すリモコン入力処理部１０１は、ＴＶ１、２のリモコン信号を受信し、ユーザ操作として他のモジュール（機能部）に指示を行う。ＴＶ１、２のリモコン信号としては、一般的には赤外線による信号が用いられる。
【００４０】
無線通信部１０２（１ｃ・２ｃ：図１）は、例えば、短距離無線通信を用いて携帯電話４・５と通信を行う。短距離無線通信の例としては、Ｂｌｕｅｔｏｏｔｈ（登録商標）を用いることができるが、双方向通信が可能な手段であればその他の手段でも良く、赤外線など、リモコン信号と同じ通信機能（信号）を用いても良い。
【００４１】
ここで、本実施の形態によるシステムの特徴であり、招待先の第２のＴＶ２に備えられる予約リクエスト管理部１１０は、第２の携帯電話５を介して無線通信部１０２（２ｃ）が受信した予約リクエストのデータを解析し、その中に含まれる番組情報、相手のアドレス情報、コミュニケーション開始可能時刻等の情報を取得し、予約管理部１０４に伝えることでコンテンツ視聴会話の予約を行う。加えて、予約実行時には、第２の予約管理部１０４からの要求に応じて、無線通信部１０２（２ｃ）を介して携帯電話５と通信を行い、第２の携帯電話５が該当する予約リクエストを保持しているかどうか調べる。この処理は、予約リクエスト６を受信し第２のＴＶ２に対して番組視聴予約を行った携帯電話そのものであることを確認する意味がある（予約リクエストの存在確認部）。
【００４２】
なお、第１のＴＶ１もほぼ同様の構成を有しており、招待先になった場合には同様の処理を行う。加えて、招待元である場合にも、無線通信部１０２（１ｃ）との間で、第１のＴＶ１側で視聴予約する番組を指定することができる。そのタイミングは任意であり、また、携帯電話からの予約でなくても専用リモコンからの予約でも良く、予約リクエストに基づく予約でなくても良い。但し、招待先に送った予約リクエストに基づくＴＶ１への予約であれば、第１のＴＶ１−第２のＴＶ２間の予約時間や番組の違いなどが生じないという利点がある。
【００４３】
第１・第２のコンテンツ再生部１０３は、第１・第２のＴＶ１・２がアンテナ、ネットワークなどを介して受信した放送波信号から映像データおよび音声データを取得し、番組コンテンツを再生する。この際、基本的には、リモコン入力処理部１０１を介してリモコン（ここでは、携帯電話がリモコン装置を兼用する場合を説明する）からの指示により再生開始/停止を行う。また、予約がされている場合には、予約管理部１０４からの指示により番組コンテンツの再生を開始する。
【００４４】
予約管理部１０４は、コンテンツ視聴会話の予約情報を管理し、予約された時刻に近くなった場合には、コンテンツ再生部１０３およびセッション管理部１０５に指示してコンテンツ視聴会話が可能な状態にする。その際、予約リクエスト６を保持している携帯電話５が近くにあるかどうかを予約リクエスト管理部１１０に対して問い合わせを行って予約内容を実行するかどうかの判断をする。具体的には、予約リクエスト６を保持している携帯電話５が近くにある場合のみコンテンツ視聴会話を開始する。
【００４５】
セッション管理部１０５は、相手方のユーザの利用しているＴＶとの音声通信セッションを管理する。それぞれのＴＶにはコミュニケーション用のアドレスが付与されており、予約管理部１０４、もしくは、リモコン入力処理部１０１からの指示で発信/着信/切断などの呼処理を行った上で、音声データの送受信を行うことでＴＶ間の音声会話を実現する。通信プロトコルについては、例えば、呼処理についてはＳＩＰ（Ｓｅｓｓｉｏｎ  Ｉｎｉｔｉａｔｉｏｎ  Ｐｒｏｔｏｃｏｌ）、音声データ送受信についてはＲＴＰ（Ｒｅａｌ−ｔｉｍｅ  Ｔｒａｎｓｐｏｒｔ  Ｐｒｏｔｏｃｏｌ）を用いる。通信部１０６は、ネットワーク３を介して、ＴＶ１・２間における呼処理データ、および音声データの送受信を行う。
【００４６】
画面制御部１０７は、他のモジュール（機能部）からの指示に従ってＴＶ画面に画面表示を行う制御をする。例えば、番組コンテンツの映像を表示したり、予約が行われた確認ウィンドウを表示したり、友達から着信したことを表示したり、などの処理を行う。
【００４７】
音声出力部１０８は、番組コンテンツ再生部１０３が再生している番組コンテンツの音声、および、セッション管理部１０５で受信した会話中の相手の音声を図１に示すヘッドフォン１ｂ・２ｂ（又はスピーカーなど）から出力する。
【００４８】
音声入力部１０９は、図１に示すマイク１ａ・２ａからの音声を処理し、音声データとしてセッション管理部１０５に出力する。セッション管理部１０５が会話中の相手の利用しているＴＶ１・２間に音声データを送信することで音声会話が実現できる。
【００４９】
次に、携帯電話機について説明する。図３は、本実施の形態において用いられる携帯電話機の一構成例を示す機能ブロック図である。図に示されているブロック間の矢印は、データのやり取りを示すものである。図３に示すように、携帯電話機４、５において、ユーザ入力処理部２０１はユーザからの入力を受け付けて他の機能部に指示を伝える。画面制御部２０２は他の機能部からの指示に基づいて表示部２０２ａにおける画面表示の制御を行う。予約リクエスト管理部２０３は、予約リクエストのデータを保持し、予約リクエストに関連した一連の処理を行う。具体的には、予約リクエスト６のデータの保持、無線通信部２０８を介した友人への予約リクエストの送受信、短距離無線通信部２０７を介したＴＶへの予約リクエスト送信、短距離無線通信部２０７を介したＴＶからの予約リクエスト保持確認リクエストに対する応答を行う。予約リクエストのデータが新規保存されるのは、予約リクエスト生成部２０４が生成するケース（自分が招待元である場合）と、無線通信部２０８を介して相手から受信するケース（自分が招待先である場合）があり、その後はユーザの指示によって削除される。
【００５０】
なお、予約リクエスト中にはコンテンツの終了時刻も含まれているため、終了時刻を過ぎた予約リクエストを自動的に削除することも可能である。予約リクエスト生成部２０４は、コンテンツ情報取得部２０５から取得したコンテンツ情報、およびアドレス帳管理部２０６から取得したアドレス情報を基に主として招待元において予約リクエストを作成する。作成した予約リクエストは予約リクエスト管理部２０３によって携帯電話５内のメモリに保存される。コンテンツ情報取得部２０５は、無線通信部２０８を介してコンテンツ情報を取得する。コンテンツ情報は、例えばＥＰＧ（登録商標）などの番組表から取得され、具体的には、番組のタイトル、チャンネル、開始時刻、終了時刻、などの情報が含まれる。アドレス帳管理部２０６は、友人などのアドレス等連絡先を管理するいわゆる電話帳であり、メールを送信する相手を選択する際に用いられる。また、自宅にあるＴＶのアドレス情報も保持しており、予約リクエスト生成部２０４が予約リクエストを作成する際は、アドレス帳管理部２０６が保持しているＴＶのアドレス情報を使用する。短距離無線通信部２０７は、Ｂｌｕｅｔｏｏｔｈ（登録商標）などの短距離無線を用いてＴＶとの間で通信を行う。無線通信部２０８は、予約リクエスト管理部２０３やコンテンツ情報取得部２０５からの指示に基づき、携帯電話基地局と通信を行い、電子メールやＥＰＧ（登録商標）データなどのデータ送受信を行う。
【００５１】
以下に、図５を参照しながら、本実施の形態によるコンテンツ番組に関する携帯電話４の招待処理及び予約操作処理の流れについて説明する。携帯電話４で他のユーザ（この場合、携帯電話５のユーザ）を招待する処理を開始する（ＳＴＡＲＴ）。基本的には、図４Ａに示したように、番組表から視聴したい番組を選択することにより、処理フローが開始されるが、お勧め番組情報をメールなどで受信し、そこから番組を選択した場合でも同様の処理が開始される。
【００５２】
ユーザが、番組表から視聴したい番組を選択すると、操作メニューが表示される（Ｓ１０１）。操作メニューとしては、「視聴予約（ワンセグ）」、「録画予約（ワンセグ）」、「視聴会話招待」等が表示される。ここで、「視聴会話招待」が選択されると、予約リクエスト生成部２０４はコンテンツ情報取得部２０５から取得したコンテンツ情報を基に、送信する予約リクエストを生成し、予約リクエスト管理部２０３がこの予約リクエストを携帯電話４内のメモリ内に保存する（Ｓ１０２）。予約リクエストに含めるアドレス情報としてはＴＶ１のＳＩＰアドレスを用いるが、ＴＶ１のアドレスは頻繁には変更されないと考えられるため、事前にアドレス帳管理部２０６に記憶させておくことにより実現できる。また、家庭内に複数のＴＶがある場合には、複数のアドレスを記憶させておき、その中から選択させる方式にすれば良い。また、予約リクエストを画像ファイルとした場合、画像データについては、番組表からその番組に関連する画像データ（サムネイル、ロゴ等）が提供されていればその画像データを使用し、提供されていなければ、携帯電話４内に保存されている画像データ（例えば自分の写真）を使用する。さらに、番組タイトル、開始時刻といった文字列情報を元画像データに重畳することで、相手はその画像を見るだけでどんなコンテンツ視聴会話に招待されているか、一目で分かるというメリットがある。
【００５３】
予約リクエストが生成されると、招待先のユーザの携帯電話５を選択するために、アドレス帳管理部２０６に記憶されているアドレス情報の一覧が表示される（Ｓ１０３）。なお、携帯電話４には、発信履歴および着信履歴などの情報が保持されているため、履歴情報を基にユーザを選択させることで利便性を高めることも可能である。
【００５４】
招待先のユーザを選択すると、予約リクエスト管理部２０３は無線通信部２０８を介して、指定したユーザの携帯電話５に予約リクエストをメールで送信する（Ｓ１０４）。予約リクエストは例えば電子メールの添付ファイルとして扱われ、メール本文には、例えば、コンテンツ情報、および、コンテンツ視聴会話に招待されている旨のメッセージが記載するのが好ましい。なお、招待するユーザは１人に限定せず、複数のユーザを選択した場合には複数の相手に同時にメール送信することも可能である。
【００５５】
メールが送信された後に、短距離無線通信部２０７はＴＶ１が近くにあるかどうか、すなわち、ＴＶ１と通信可能か否かを調べ（Ｓ１０５）、通信可能である場合には（Ｙｅｓ）、予約リクエスト管理部２０３は短距離無線通信部２０７を介して、生成した予約リクエストをＴＶ１にも送信する（Ｓ１０６）。
【００５６】
以上の処理により、後述するＴＶ１側の処理が行われ、招待元のＴＶ１にもコンテンツ視聴会話の予約が行われる。この時点で、ＴＶ１に予約に関する情報が送信されなかった場合でも、予約リクエストは携帯電話４のメモリ内に保存されているため、後から予約リクエストをＴＶ１に送信することでいつでも予約可能である。送信のタイミングは、ユーザの選択したタイミング、或いは、ＴＶ１と携帯電話４とが通信可能な距離に入ったタイミングであっても良く、後者の場合には自動的に送信させることが可能である。
【００５７】
次に、携帯電話５におけるコンテンツ視聴会話の予約に関する処理について図６を参照しながら説明を行う。携帯電話４から予約リクエスト６がメール送信されてくると、予約リクエストを受信したことが携帯電話５においてユーザに報知される（Ｓ２０１）。この際、電子メールの内容が携帯電話５のメモリ内に記憶される。予約リクエストを含む電子メールにおいては、通常の電子メールと区別できるように特徴付けられていることが好ましいが、特徴付けられていない場合は、単にメールを受信したことを表示する。受信した電子メールを選択すると、添付された予約リクエスト６の詳細が表示されるようになっている（Ｓ２０２）。すなわち、視聴する番組の情報、および、コミュニケーション用のアドレス情報、コミュニケーション開始可能時刻などが表示部に表示され、ユーザは詳細を確認して招待を受けるかどうか判断することができる。
【００５８】
ここで、携帯電話５のメニュー表示ボタンを押すと、操作メニューとして、「予約実行」、「返信」、「転送」、「削除」などが表示される（Ｓ２０３）。ここで、「予約実行」を選択すると、アドレス帳管理部２０６に登録されているＴＶの一覧を表示し、ユーザにコンテンツ視聴会話の予約を行うＴＶを選択させる（Ｓ２０４）。登録されているＴＶが１台しかなかった場合はこの処理は省略しても構わない。招待先のＴＶ２が選択されると、短距離無線通信部２０７は選択されたＴＶ２と通信可能かどうかどうかを調べ（Ｓ２０５）、通信可能である場合には、予約リクエスト管理部２０３は受信した予約リクエスト６を短距離無線通信部２０７を介してＴＶ２に送信する（Ｓ２０６）。ＴＶ２と通信可能でなかった場合、予約リクエスト管理部２０３は予約リクエストを送信予約として設定する（Ｓ２０７）。その後、ＴＶ２と通信可能な距離に入ったタイミングで、予約リクエスト管理部２０３は送信予約として設定されている予約リクエストをＴＶ２に自動的に送信する。最後に、コンテンツ視聴会話の予約が完了したことを招待元の携帯電話４に通知する（Ｓ２０８）。すなわち、メールを自動返信することで、招待した側では相手が招待を受けたことが分かる。
【００５９】
以上の処理により、後述するＴＶ２側の処理が行われ、招待先のＴＶ２にコンテンツ視聴会話の予約が行われる。招待先のＴＶ２に関するアドレス指定は予約リクエスト６中には存在しないため、ユーザは好ましいＴＶを選択することが可能である。
【００６０】
次に、図７を参照しながら、ＴＶで携帯電話から予約リクエストを受信した場合における処理の流れについて説明を行う。まず、無線通信部１０２が受信した予約リクエストについて、予約リクエスト管理部１１０が正当性の検証を行う（Ｓ３０１）。すなわち、必要なデータが含まれているか、招待された番組コンテンツを視聴可能かどうか、および、指定されたアドレスに発信可能かどうかを調べ、正当でないと判断した場合には以降の処理は行わないで処理を終了する（ＥＮＤ）。
【００６１】
正当と判断した場合には、続いて予約管理部１０４が既に該当する予約が行われていないかどうかを判別する（Ｓ３０２）。該当する予約が既に行われていた場合、予約管理部１０４は該当する予約をキャンセルする（Ｓ３０３）。すなわち、ユーザとしては、同一の予約リクエストを再度送信することで予約をキャンセルすることが可能となる。
【００６２】
予約が行われていない場合は、予約リクエストの内容に基づき、予約管理部１０４がコンテンツ視聴会話の予約を行う。招待元と招待先とで処理が異なるため、まず、招待元か否かの判定を行う（Ｓ３０４）。これは、予約リクエストに含まれるアドレスが自分自身（ＴＶ）のアドレスと同じかどうかで判定することができる。すなわち、予約リクエストに含まれるアドレスが自分自身（ＴＶ）のアドレスと同じ場合は招待元（ＴＶ１）、自分自身のアドレスと異なる場合は招待先（ＴＶ２）と判定することができる。
【００６３】
招待元（招待側）と判定された場合（ＴＶ１）には（Ｙｅｓ）、予約管理部１０４は招待側としてコンテンツ視聴会話の予約を行う（Ｓ３０５）。すなわち、相手先（ＴＶ２）のアドレスは分からないため、番組情報、コミュニケーション開始可能時刻のみを設定する。
【００６４】
招待先（被招待側）と判定された場合（ＴＶ２）には（Ｎｏ）、予約管理部１０４は被招待側としてコンテンツ視聴会話の予約を行う（Ｓ３０６）。すなわち、番組情報、相手先（ＴＶ１）のアドレス、および、コミュニケーション開始可能時刻を設定する。最後に、画面制御部１０７が、予約が完了したことを画面に表示する（Ｓ３０７）ことで、ユーザにその旨を報知する。以上の処理により、ＴＶ１は携帯電話４から予約リクエストを受信することでコンテンツ視聴会話の予約（招待側）を行い、ＴＶ２は携帯電話５から予約リクエストを受信することでコンテンツ視聴会話の予約（被招待側）を行うことができる。
【００６５】
図８Ａ及び図８Ｂは、上記のコンテンツ視聴会話の予約に基づき、ＴＶにおいてコンテンツ視聴会話を開始する際の処理の流れを示すフローチャート図である。まず、予約管理部１０４が管理している予約のうち、招待先（被招待側）として設定された予約（ＴＶ２で設定されている予約）について、コミュニケーション開始可能時刻になったかどうかを判定する（Ｓ４０１）。開始可能時刻になっていなければ開始可能時刻になるまで待機する。コミュニケーション開始可能時刻を過ぎた場合には、予約管理部１０４は番組の終了時刻を過ぎていないか否かを判定する（Ｓ４０２）。すなわち、番組放送中であれば途中からコンテンツ視聴会話に参加する可能性が考えられるが、番組終了後はコンテンツ視聴会話を行う必要がなくなるため、番組の終了時刻を過ぎていた場合は処理を終了する（ＥＮＤ）。
【００６６】
番組の終了時刻より前と判定された場合には、予約リクエスト管理部１１０は、無線通信部１０２を介して、該当する予約リクエスト６を保持している携帯電話５が近くにあるかどうか調べるために短距離通信を試みる（Ｓ４０３）。該当する予約リクエスト６を保持している携帯電話５が近くに存在しない場合には、携帯電話５が近くに来るか、もしくは、番組の終了時刻になるまで待機する。
【００６７】
該当する予約リクエスト６を保持している携帯電話５が近くに存在することが確認された場合には、招待を受けたユーザが指定したＴＶ２の近くにいると推定することができるため、セッション管理部１０５は、設定されたＴＶ１のアドレスに対してリクエスト送信し、コミュニケーション開始可能か否かの問い合わせを行う（Ｓ４０４）。ＳＩＰでは、ＩＮＶＩＴＥリクエストを送信することで問い合わせを実現する。その後、セッション管理部１０５は、相手のＴＶ１からのレスポンスを受信し、相手側のＴＶ１が通信開始可能であるかどうかを判断する（Ｓ４０５）。開始可能というレスポンス（例えば、「２００  ＯＫ」レスポンス）であった場合は、ＴＶ１・２間で音声通信セッションを確立し（Ｓ４０６）、コンテンツ視聴会話を開始することができる状態となるが、開始不可能というレスポンス（例えば、「４８８  Ｎｏｔ  Ａｃｃｅｐｔａｂｌｅ  Ｈｅｒｅ」レスポンス）であった場合は開始可能状態となるまで待機する。
【００６８】
音声通信セッションが確立されると、セッション管理部１０５は音声会話を実現するため、音声データの処理を行う（Ｓ４０７）。具体的には、音声入力部１０９から入力された音声データを相手のＴＶに送信し、相手のＴＶから送信されてきた音声データを音声出力部１０８に送り、相手方の出した音声をスピーカー等から出力させるとともに、予約管理部１０４は、番組の開始時刻になったか否かを判定し（Ｓ４０８）、番組の開始時刻を過ぎた場合には、コンテンツ再生部１０３は予約管理部１０４からの指示に基づき、設定された番組の受信、および、画面制御部１０７に指示して画面表示を行う（Ｓ４０９）。図には記載されていないカメラをＴＶに接続し、音声だけでなくカメラの映像もお互いに通信することで、ＴＶ電話を実現することも可能である。この場合、画面にはコンテンツと相手の映像とが重畳して表示される。
【００６９】
コンテンツ視聴会話中に、予約管理部１０４はコンテンツ視聴会話を終了するか否かの判断を繰り返し行っている（Ｓ４１０）。番組終了時、もしくは、ユーザがリモコンで終了を指示した場合には、予約管理部１０４はコンテンツ視聴会話を終了させるものと判断し、セッション管理部１０５に音声通話セッションを切断させる（Ｓ４１１）。終了しないと判断した場合は、引き続き、音声データ処理、および、番組の受信・再生を行う。
【００７０】
図９は、招待元のＴＶ１がコンテンツ視聴会話を開始する際の処理の流れを示すフローチャート図である。招待元のＴＶ１では、相手方のＴＶ２のアドレス情報を把握していないため、基本的には相手のＴＶ２からの着信を受けたときにこの処理が開始されることになる。セッション管理部１０５が相手方のＴＶ２からの問い合わせを受信する（Ｓ５０１）と、予約リクエスト管理部１１０は該当する予約データを検索し、予約に用いられた予約リクエスト６を保持している携帯電話４が近くにあるかどうかについて無線管理部１０２を介して調べる（Ｓ５０２）。
【００７１】
該当する予約リクエスト６を保持している携帯電話４が近くに存在しないと判定された場合には、招待元のユーザがＴＶ１の近く（前）にいないと判断することができ、セッション管理部１０５は開始不可能のレスポンス（例えば、「４８８  Ｎｏｔ  Ａｃｃｅｐｔａｂｌｅ  Ｈｅｒｅ」レスポンス）を相手のＴＶ２に送信する（Ｓ５０４）。この場合、音声通信セッションは確立されない。
【００７２】
該当する予約リクエスト６を保持している携帯電話４が近くに存在すると判断された場合には、招待元のユーザがＴＶ１の前にいると判断され、セッション管理部１０５は開始可能レスポンス（例えば、「２００  ＯＫ」レスポンス）を相手のＴＶ２に送信する（Ｓ５０３）。これにより、ＴＶ１・２間で音声通信セッションが確立され、コンテンツ視聴に関するＴＶ間の会話を開始することができる。それ以降は、コンテンツ視聴会話中の処理については、図７で示した招待先における処理の流れと同様であるため、処理の詳細は省略する。
【００７３】
本実施の形態によるコンテンツ視聴システムによれば、所望の相手方ＴＶに対して確実にコンテンツ視聴に関する知らせを行うとともに、コンテンツ視聴に関するＴＶ間のネットワーク通信に基づくコミュニケーションを行うことができる。招待先においては、相手は任意のＴＶに予約することが出来る。所望の相手が予約を行ったＴＶの前にいることが事前に確認できるため、確実に安心して音声会話を開始することが出来る。また、ＴＶがアドレス帳データを持つ必要はなく、各自が保持している携帯電話のアドレス帳を用いて簡単に予約リクエストを送ることが出来るという利点がある。
【００７４】
以上に説明したように、本実施の形態によれば、コンテンツ視聴機器と携帯端末とを、短距離通信により通信することが可能となっている。携帯電話で視聴したい番組を選択し、招待したい相手の携帯電話に「予約リクエスト」を送信する。「予約リクエスト」には番組情報とＴＶのアドレスが含まれており、相手はそれを手元のＴＶに送信することでコンテンツ共有視聴会話の予約が行われる。番組開始時刻になった際、予約リクエストを送信した携帯電話がＴＶのそばにあればＴＶ同士で音声通話セッションを確立し、コンテンツ共有視聴会話を行うことが出来るため、コンテンツ番組に関する会話をＴＶ間で行うことができる。
【００７５】
（第２の実施の形態）
次に、本発明の第２の実施の形態である、コンテンツ視聴装置がコミュニケーション機能を保有しない場合について説明する。すなわち、本実施の形態においては、コンテンツ視聴装置については既存のテレビジョン受信装置を例として説明する。
【００７６】
図１０は、本実施の形態によるコンテンツ視聴システムの一構成例を示す機能ブロック図である。招待元の第１のテレビＴＶ１、および、招待先の第２のテレビＴＶ２は、本実施の形態においては、ＴＶが音声会話機能を有していないなどの理由により、ユーザは、携帯電話４、５を用いて音声会話を行う点が第１の実施の形態と異なる。予約リクエスト６を携帯電話４、５間でやり取りする点に関しては、第１の実施の形態と同様である。
【００７７】
図１１は、本実施の形態において用いられる携帯電話機の一構成例を示す機能ブロック図であり、図３に対応する図である。図１１に示すように、図３に示す携帯電話機４、５に加えて設けられている機能部であって、２０１〜２０８までに加えて設けられている、予約管理部２０９は、コンテンツ視聴会話の予約情報を管理し、予約された時刻になった場合には短距離無線通信部２０７を介してＴＶを操作すると共に相手に発信してコンテンツ視聴会話が可能な状態にする。また、セッション管理部２１０は、携帯電話４、５間の音声通信セッションを管理する。音声出力部２１１はセッション管理部２１０で受信したコンテンツ視聴会話相手の音声データを音声出力部２１１（スピーカー等）から出力する。音声入力部２１２（マイク等）は、図示していないマイクからの音声を処理し、音声データとしてセッション管理部２１０に出力し、コンテンツ視聴会話相手の携帯電話に送信する。
【００７８】
以下、図面を参照しながら、本実施の形態によるコンテンツ視聴システムにおける処理の流れについて説明する。ＴＶは、図２と同じでもよいが、基本的には通話に関する機能部であるセッション管理部１０５、音声入力部１０９などを有していないのが一般的である。
【００７９】
図１２は、招待側の携帯電話４における予約処理の流れを示すフローチャート図である。処理を開始し（ＳＴＡＲＴ）、相手（携帯電話５）を選んでメール（予約リクエスト６）を送信するところ（Ｓ５０４）までは図５と同様であるが、予約リクエストを生成する際（Ｓ５０２）、予約リクエスト中の「アドレス情報」に、携帯電話４の電話番号を含める点が異なる。その後は、ＴＶ１に予約リクエスト６の送信は行わず、携帯電話４内の予約管理部２０９が招待側として予約設定する（Ｓ５０５）。これにより、招待側の携帯電話４でのコンテンツ視聴会話の予約は完了する。
【００８０】
続いて、被招待側の携帯電話５における予約処理について図１３を用いて説明する。操作メニューを表示するところ（Ｓ６０３）までは基本的に図６と同様である。操作メニューの中から「予約実行」を選択すると、携帯電話５内の予約管理部２０９が被招待側として予約設定する（Ｓ６０４）。これにより、被招待側でのコンテンツ視聴会話の予約は完了するため、完了したことを招待元の携帯電話４に通知する（Ｓ６０５）。
【００８１】
図１４Ａおよび図１４Ｂは、上記のコンテンツ視聴会話の予約に基づき、携帯電話４、５間においてコンテンツ視聴会話を開始する際の処理の流れを示すフローチャート図である。まず、予約管理部２０９が管理している予約のうち、招待先（被招待側）として設定された予約（携帯電話５において設定された予約）について、コミュニケーション開始可能時刻になったかどうかを判定する（Ｓ７０１）。開始可能時刻になっていなければ（Ｎｏ）、開始可能時刻になるまで待機し、開始可能時刻になっていれば（Ｙｅｓ）、画面制御部２０２はコンテンツを視聴するテレビを選択する画面を表示する（Ｓ７０２）。テレビ２を選択すると、短距離無線通信部２０７は、そのテレビ２が近くにあるかどうか、すなわち、テレビ２と通信可能かどうか判定し（Ｓ７０３）、通信可能であった場合には、テレビ２に対して視聴予約指示を行う（Ｓ７０４）。その後、セッション管理部２１０が相手の携帯電話４に発信を行い（Ｓ７０５）、相手の携帯電話４が応答した段階で音声通信セッションが確立される（Ｓ７０６）。コンテンツについては、番組開始時刻になった時点でテレビ２側で視聴予約の処理が実行されるため、特にコンテンツ視聴会話中に携帯電話において処理は行う必要がない。すなわち、その後は、通常の音声会話と同様の処理となり（図１４Ｂ：Ｓ７０６〜Ｓ７０９まで）、どちらかの携帯電話４・５がコンテンツ視聴会話を切断した段階で音声会話が終了する。
【００８２】
図１５は、招待側の携帯電話４においてコンテンツ視聴会話を開始する際の処理の流れを示すフローチャート図である。コミュニケーション開始可能時刻となり、相手側の携帯電話５からの着信があると（Ｓ８０１）、予約管理部２０９は該当する予約が設定されているかどうかを検索する（Ｓ８０２）。これは、設定されたコミュニケーション開始可能時刻かどうか、および、予約リクエストを送った相手からの着信かどうか、によって判別可能である。これにより、コンテンツ視聴会話の着信と判断した場合は、画面制御部２０２はコンテンツを視聴するテレビを選択する画面を表示する（Ｓ８０３）。テレビ１を選択すると、短距離無線通信部２０７は、そのテレビ１が近くにあるかどうか、すなわち、テレビ１と短距離通信可能か否かを判定し（Ｓ８０４）、通信可能であった場合には、テレビ１に対して視聴予約指示を行う（Ｓ８０５）。その後、着信に応答することで音声通話を開始するが、これ以降については図１４Ｂの処理の流れと同様であるため、処理の詳細に関する説明は省略する。
【００８３】
このように、第１及び第２の携帯端末４・５のそれぞれにおいて、相手側の携帯端末からの着信がコンテンツ視聴会話の着信か否かを判別することができる。相手側の第１の携帯端末４からの着信があると、第２の携帯端末５において、予約管理部は該当する予約が設定されているかどうかを検索し、コンテンツ視聴会話の着信か否かの判別は、設定されたコミュニケーション開始可能時刻であるか否か、および、予約リクエストを送った相手側の第１の携帯端末からの着信か否か、に基づいて行われる。この際、第１及び第２の携帯端末４・５は、相手側の携帯端末５・４からの着信に応答した際に、短距離通信により通信可能なコンテンツ視聴装置の視聴予約も同時に行うようにしても良い。
【００８４】
以上に説明したように、本実施の形態によれば、携帯電話においてコンテンツ視聴会話の予約を管理することで、既存のテレビを用いたコンテンツ視聴会話を行うことができる。携帯電話で予約を管理しているため、番組の開始時刻直前に急に外出することになった場合でも、外出先のテレビを使ってコンテンツ視聴会話を行うことも可能である。
【００８５】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００８６】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００８７】
また、「コンピュータシステム」は、ＷＷＷシステムを利用している場合であれば、ホームページ提供環境（あるいは表示環境）も含むものとする。
【００８８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００８９】
本発明は、コンテンツ視聴機器に利用可能である。
【図面の簡単な説明】
【００９０】
【図１】本発明の一実施の形態によるコンテンツ視聴システムのシステム構成例を示す図である。
【図２】本実施の形態によるＴＶの一構成例を示す機能ブロック図である。
【図３】本実施の形態において用いられる携帯電話機の一構成例を示す機能ブロック図である。
【図４Ａ】予約リクエストを作成する過程を示す図である。
【図４Ｂ】予約リクエストのデータの一構成例を示す図である。
【図４Ｃ】予約リクエストをＸＭＬ（Ｅｘｔｅｎｓｉｂｌｅ  Ｍａｒｋｕｐ  Ｌａｎｇｕａｇｅ）ファイルとして扱った場合のデータの一構成例を示す図である。
【図５】本実施の形態によるコンテンツ番組に関する携帯電話の招待処理及び予約操作処理の流れについて説明する図である。
【図６】携帯電話におけるコンテンツ視聴会話の予約に関する処理例を示す図である。
【図７】ＴＶ２で携帯電話５から予約リクエスト６を受信した場合における処理の流れを示す図である。
【図８Ａ】コンテンツ視聴会話の予約に基づき、ＴＶにおいてコンテンツ視聴会話を開始する際の処理の流れを示すフローチャート図である。
【図８Ｂ】図８Ａに続く図である。
【図９】招待元のＴＶ１がコンテンツ視聴会話を開始する際の処理の流れを示すフローチャート図である。
【図１０】本発明の第２の実施の形態によるコンテンツ視聴システムも一構成例を示す機能ブロック図である。
【図１１】本実施の形態において用いられる携帯電話機の一構成例を示す機能ブロック図であり、図３に対応する図である。
【図１２】招待側の携帯電話における予約処理の流れを示すフローチャート図である。
【図１３】被招待側の携帯電話５における予約処理を示すフローチャート図である。
【図１４Ａ】コンテンツ視聴会話の予約に基づき、携帯電話間においてコンテンツ視聴会話を開始する際の処理の流れを示すフローチャート図である。
【図１４Ｂ】図１４Ａに続く図である。
【図１５】招待側の携帯電話においてコンテンツ視聴会話を開始する際の処理の流れを示すフローチャート図である。
【符号の説明】
【００９１】
１…ＴＶ１（第１のコンテンツ視聴装置）、２…ＴＶ２（第２のコンテンツ視聴装置）、１ａ、２ａ…マイクロフォン、１ｂ、２ｂ…ヘッドフォン、３…ネットワーク、４、５…携帯電話、６…予約リクエスト、１０１…リモコン入力部、１０２…無線通信部、１０３…コンテンツ再生部、１０４…予約管理部、１０５…セッション管理部、１０６…通信部、１０７…画面制御部、１０８…音声出力部、１０９…音声入力部、１１０…予約リクエスト管理部、２０１…ユーザ入力処理部、２０２…画面制御部、２０２ａ…表示部、２０３…予約リクエスト管理部、２０４…予約リクエスト生成部、２０５…コンテンツ情報取得部、２０６…アドレス帳管理部、２０７…短距離無線通信部、２０８…無線通信部。
【図１】
2010041452.tif 000003
【図２】
2010041452.tif 000004
【図３】
2010041452.tif 000005
【図４Ａ】
2010041452.tif 000006
【図４Ｂ】
2010041452.tif 000007
【図４Ｃ】
2010041452.tif 000008
【図５】
2010041452.tif 000009
【図６】
2010041452.tif 000010
【図７】
2010041452.tif 000011
【図８Ａ】
2010041452.tif 000012
【図８Ｂ】
2010041452.tif 000013
【図９】
2010041452.tif 000014
【図１０】
2010041452.tif 000015
【図１１】
2010041452.tif 000016
【図１２】
2010041452.tif 000017
【図１３】
2010041452.tif 000018
【図１４Ａ】
2010041452.tif 000019
【図１４Ｂ】
2010041452.tif 000020
【図１５】
2010041452.tif 000021